(57)【要約】      （修正有）【課題】音響特性を向上させると共に、起立部が筐体の補強と整音体の保持の機能を兼ねることで構成の複雑化を抑制する。【解決手段】鍵盤部が配設されたシャーシと上ケースとが組み付けられて筐体が構成される。電子鍵盤楽器の左端部、右端部にスピーカが背面側を向いて配設される。筐体内の左端部と右端部とにおいて、吸音体７０が左右のスピーカＳＰのそれぞれ左右方向外側に配置される。左端部において上ケースの天井壁１１０ｅからは、上ケースの補強の機能を有する複数の垂下部１０、２０、５０、５３等が一体に垂下形成され、これらによって吸音体７０が保持される。右端部においては垂下部及び保持突起によって吸音体７０が挟持保持される。【選択図】図２
2014211618.tif 000002
【特許請求の範囲】
【請求項１】
底壁を有し、楽器部品が配設されたシャーシと、
天井壁を有し、前記シャーシに組み付けられて前記シャーシと共に筐体を構成する上ケースと、
前記筐体内に収容保持される前記楽器部品としての鍵盤部と、
前記鍵盤部より後方において前記筐体の左右方向における少なくとも一方の端部に放音面が背面方向を向くように配置され、楽音を発生させるスピーカと、
前記筐体内において、前記スピーカの左右方向外側に配置された整音体と、
前記筐体の前記少なくとも一方の端部において、前記上ケースまたは前記シャーシから起立して形成され、前記筐体の補強の機能を有する少なくとも１つの起立部とを有し、
前記上ケース及び前記シャーシの少なくとも一方は左右の側壁を有し、
前記整音体は、前記起立部によって保持されていることを特徴とする電子鍵盤楽器。
【請求項２】
前記起立部は、前記上ケースの前記天井壁または前記シャーシの前記底壁から起立して形成されることを特徴とする請求項１記載の電子鍵盤楽器。
【請求項３】
前記起立部は、前記上ケースと前記シャーシとを組み付けるための締結機能を有することを特徴とする請求項１または２記載の電子鍵盤楽器。
【請求項４】
前記起立部は前記上ケースの前記天井壁から起立し、前記起立部は一体に形成されたリブを有し、該リブは、前記上ケースの前記天井壁、及び／又は、前記上ケースの左右の側壁のうち当該リブが形成された起立部に近い方の側壁に繋がっていることを特徴とする請求項１〜３のいずれか１項に記載の電子鍵盤楽器。
【請求項５】
前記起立部は前記シャーシの前記底壁から起立し、前記起立部は一体に形成されたリブを有し、該リブは、前記シャーシの前記底壁、及び／又は、前記シャーシの左右の側壁のうち当該リブが形成された起立部に近い方の側壁に繋がっていることを特徴とする請求項１〜３のいずれか１項に記載の電子鍵盤楽器。
【請求項６】
前記起立部は一体に形成されたリブを有し、該リブは前記整音体を保持する機能を果たすことを特徴とする請求項１〜３のいずれか１項に記載の電子鍵盤楽器。
【請求項７】
前記リブには、平面視において互いに交差する方向に延設される２つのリブが含まれることを特徴とする請求項４〜６のいずれか１項に記載の電子鍵盤楽器。
【請求項８】
前記整音体は、左右方向において、前記上ケースの左右の側壁及び前記シャーシの左右の側壁に対して間隙を確保した位置に保持されることを特徴とする請求項１〜７のいずれか１項に記載の電子鍵盤楽器。
【請求項９】
前記起立部は複数設けられ、前記整音体はこれら複数の起立部によって挟持されることを特徴とする請求項１〜８のいずれか１項に記載の電子鍵盤楽器。
【請求項１０】
前記整音体は吸音体であることを特徴とする請求項１〜９のいずれか１項に記載の電子鍵盤楽器。
【発明の詳細な説明】
【技術分野】
【０００１】
本発明は、筐体の左右端部に楽音発生用のスピーカが配された電子鍵盤楽器に関する。
【背景技術】
【０００２】
従来、筐体の左右端部に楽音発生用のスピーカが配された電子鍵盤楽器が知られている。例えば、下記特許文献１の楽器では、左右一対のスピーカが筐体の背面に設けられる。音響特性について考察すると、鍵盤楽器の筐体の内部は、回路基板や各種部品の配置構成によって凹凸が生じ、それが物理条件となってスピーカの音響特性（周波数に対する音圧のデシベル値）に影響する。
【０００３】
スピーカボックスにおける音響特性の改善に関して、下記特許文献２のスピーカ装置では、スピーカボックス内に緩衝材からなる吸音体を内装している。音響特性を所望なものに近づけるべく、吸音体を曲面形状とし、しかもその形状を保持するために吸音体に筋材を挟着しており、安定した特性が維持される。
【先行技術文献】
【特許文献】
【０００４】
【特許文献１】特許第３７９７１６４号公報
【特許文献２】特開昭６３−２１７８９７号公報
【発明の概要】
【発明が解決しようとする課題】
【０００５】
しかしながら、電子鍵盤楽器の筐体の内部には基板や電子部品等の多くの部品が配置されるため、吸音体を電子鍵盤楽器の筐体に実装する場合には制約が多く、自由度が小さい。特に、音響特性の観点から、電子鍵盤楽器における吸音体の適切な配置は、特許文献２のようなスピーカ装置とは必ずしも同じでない。
【０００６】
また、吸音体等の整音体は何らかの方法で筐体内に固定保持する必要があるが、そのための専用の保持機構を設けたり、特許文献２のように整音体用の形状保持材を設けたりすると、部品点数が多くなり構成が複雑化する。
【０００７】
ところで、電子鍵盤楽器ではスピーカが左右の端部に配置されることが多いが、その場合、筐体の左右の側方からの音漏れの抑制を考慮することが望ましい。
【０００８】
とりわけ、低音域での筐体の側壁を通過した音漏れ（逆位相音）と、スピーカ前面からの正位相音との干渉割合が増大することの対処策が求められている。当業者が容易に思いつく策としては、筐体の側壁を重厚にすることが考えられる。しかし、ポータブル楽器としては高価で且つ重量が増大するという懸念材料となる。
【０００９】
本発明は上記従来技術の問題を解決するためになされたものであり、その目的は、音響特性を向上させると共に、起立部が筐体の補強と整音体の保持の機能を兼ねることで構成の複雑化を抑制することができる電子鍵盤楽器を提供することにある。
【課題を解決するための手段】
【００１０】
上記目的を達成するために本発明の請求項１の電子鍵盤楽器は、底壁（１２０ｆ）を有し、楽器部品が配設されたシャーシ（１２０）と、天井壁（１１０ｅ）を有し、前記シャーシに組み付けられて前記シャーシと共に筐体（ＣＳ）を構成する上ケース（１１０）と、前記筐体内に収容保持される前記楽器部品としての鍵盤部と、前記鍵盤部より後方において前記筐体の左右方向における少なくとも一方の端部（１００ａ、１００ｂ）に放音面（ＳＰｈ）が背面方向を向くように配置され、楽音を発生させるスピーカと、前記筐体内において、前記スピーカの左右方向外側に配置された整音体（７０）と、前記筐体の前記少なくとも一方の端部において、前記上ケースまたは前記シャーシから起立して形成され、前記筐体の補強の機能を有する少なくとも１つの起立部（１０、２０、３０、４０、５０、５３、６０、６３、１２１、１２２）とを有し、前記上ケース及び前記シャーシの少なくとも一方は左右の側壁を有し、前記整音体は、前記起立部によって保持されていることを特徴とする。
【００１１】
さらに好ましくは次のように構成される。前記起立部は、前記上ケースの前記天井壁または前記シャーシの前記底壁から起立して形成される（請求項２）。前記起立部（１０、２０等）は、前記上ケースと前記シャーシとを組み付けるための締結機能を有する（請求項３）。前記起立部は前記上ケースの前記天井壁から起立し、前記起立部は一体に形成されたリブ（１２、２２、３２、４２等）を有し、該リブは、前記上ケースの前記天井壁、及び／又は、前記上ケースの左右の側壁のうち当該リブが形成された起立部に近い方の側壁に繋がっている（請求項４）。前記起立部は前記シャーシの前記底壁から起立し、前記起立部は一体に形成されたリブ（１２２）を有し、該リブは、前記シャーシの前記底壁、及び／又は、前記シャーシの左右の側壁のうち当該リブが形成された起立部に近い方の側壁に繋がっている（請求項５）。前記起立部は一体に形成されたリブ（１２、１４、１８、２２、２３、２６、３２、３４、４６等）を有し、該リブは前記整音体を保持する機能を果たす（請求項６）。前記リブには、平面視において互いに交差する方向に延設される２つのリブ（１２、１４、３２、３４、４２、４６等）が含まれる（請求項７）。
【００１２】
前記整音体は、左右方向において、前記上ケースの左右の側壁（１１０ａ、１１０ｂ）及び前記シャーシの左右の側壁に対して間隙（Ｓａ、Ｓｂ）を確保した位置に保持される（請求項８）。前記起立部は複数設けられ、前記整音体はこれら複数の起立部によって挟持される（請求項９）。前記整音体は吸音体である（請求項１０）。
【００１３】
なお、上記括弧内の符号は例示である。
【発明の効果】
【００１４】
本発明によれば、音響特性を向上させると共に、起立部が筐体の補強と整音体の保持の機能を兼ねることで構成の複雑化を抑制することができる。
【００１５】
請求項３によれば、起立部が筐体組み付けの機能を兼ねることができる。請求項４によれば、起立部の剛性を高くすると共に上ケースの補強効果を高めることができる。請求項５によれば、起立部の剛性を高くすると共にシャーシの補強効果を高めることができる。請求項６によれば、整音体の安定保持に有利となる。請求項７によれば、起立部の剛性を一層高めることができる。
【００１６】
請求項８によれば、音響特性の暴れを効果的に抑制することができる。請求項９によれば、ネジ止め不要で整音体を位置決めしつつ保持することができる。
【図面の簡単な説明】
【００１７】
【図１】本発明の一実施の形態に係る電子鍵盤楽器の平面図（図（ａ））、縦断面の斜視図（図（ｂ））である。
【図２】上ケースの左端部を裏側からみた斜視図である。
【図３】上ケースの左端部の裏面図である。
【図４】上ケースの右端部を裏側からみた斜視図（図（ａ））、裏面図（図（ｂ））である。
【図５】電子鍵盤楽器のスピーカから発する音響信号の周波数特性を示す図である。
【図６】吸音体の保持の態様の変形例を示す模式図（図（ａ）、（ｂ）、（ｃ））である。
【発明を実施するための形態】
【００１８】
以下、本発明の実施の形態を図面を参照して説明する。
【００１９】
図１（ａ）、（ｂ）は、本発明の一実施の形態に係る電子鍵盤楽器の平面図、縦断面の斜視図である。
【００２０】
この電子鍵盤楽器１００は、複数の鍵からなる鍵盤部ＫＢを有する。以降、前後、左右、上下の各方向については、電子鍵盤楽器１００が床等に載置されている状態で呼称する。電子鍵盤楽器１００の長手方向（鍵の並び方向）を左右方向とし、前後方向については鍵盤部ＫＢが配設されている側（奏者側）を前側とする。
【００２１】
図１（ａ）に示すように、電子鍵盤楽器１００の筐体ＣＳの左右の端部でもある電子鍵盤楽器１００の左端部１００ａ、右端部１００ｂには、スピーカＳＰ（ＳＰＬ、ＳＰＲ）が配設される。各スピーカＳＰは、鍵盤部ＫＢより後方において放音面ＳＰｈが背面方向を向くように配置され、鍵盤部ＫＢの演奏や自動演奏データに基づく楽音を発生させる。
【００２２】
図１（ｂ）に示すように、筐体ＣＳは、下ケースであるシャーシ１２０と上ケース１１０とが組み付けられて構成される。鍵盤部ＫＢは、シャーシ１２０の棚板１２０ｅ上に配設された鍵フレームＫＦに配設される。上ケース１１０は、樹脂により、天井壁１１０ｅ、左壁部１１０ａ、右壁部１１０ｂ、前壁部１１０ｃ及び後壁部１１０ｄ（図２〜図４も参照）が一体に形成されてなる。壁部１１０ａ〜１１０ｄが水平方向の四方の壁部となる。上ケース１１０は、上方から鍵盤部ＫＢを前後左右の周囲及び上方から覆うようにシャーシ１２０に組み付けられる。なお、鍵盤部ＫＢは、筐体ＣＳに配設されればよく、シャーシ１２０でなく上ケース１１０に保持されるようにしてもよい。
【００２３】
シャーシ１２０の棚板１２０ｅの前端には下口棒部Ｋｂが立設される。上ケース１１０の前壁部１１０ｃは上口棒部でもある。なお、下口棒部Ｋｂは、シャーシ１２０と一体に形成されてもよい。また、下口棒部Ｋｂは前壁部１１０ｃと共に上ケース１１０に設けてもよい。
【００２４】
上ケース１１０において、天井壁１１０ｅ及び後壁部１１０ｄに連接して（繋がって）仕切板部１１２が一体に形成される。仕切板部１１２は、スピーカＳＰＬの右側に近接するものと、スピーカＳＰＲの左側に近接するものとが設けられる（図１（ａ））。
【００２５】
また、筐体ＣＳ内において、吸音体７０（整音体の一例）が左端部１００ａと右端部１００ｂとに各１つ実装される。すなわち、筐体ＣＳの筐体左端部ＣＳａと筐体右端部ＣＳｂとに吸音体７０が内装される。吸音体７０は、左右のスピーカＳＰのそれぞれ左右方向外側に配置される。左側の吸音体７０はスピーカＳＰＬよりも左方（矢印Ｆａ側）、右側の吸音体７０はスピーカＳＰＲよりも右方（矢印Ｆｂ側）に配置される。
【００２６】
吸音体７０はスポンジ等の多孔性の緩衝材でなり、音を吸収あるいは摩擦による熱エネルギに変換して減衰させる機能を有する。仕切板部１１２は音響スプリッタとしての機能と上ケース１１０の補強の機能とを果たす。吸音体７０は側方への音漏れや、筐体ＣＳ内での音響の好ましくない反射等を抑制する機能を果たす。各スピーカＳＰは、隣接する吸音体７０と仕切板部１１２とに左右方向から囲まれているので、楽器後方への放音効率が高くなっている。
【００２７】
吸音体７０を左端部１００ａ、右端部１００ｂに配置し、しかも左右の吸音体７０は、上ケース１１０の左壁部１１０ａ、右壁部１１０ｂに対してそれぞれ間隙Ｓａ、Ｓｂだけ離間させて配置している。これらにより、図５で後述するように、周波数特性が大幅に改善されている。
【００２８】
次に、図２〜図４を用いて、吸音体７０を保持する構成の詳細を説明する。
【００２９】
図２、図３は、上ケース１１０の左端部を裏側からみた斜視図、裏面図である。
【００３０】
天井壁１１０ｅにおいて、スピーカＳＰＬの前方には、対応するツイータＴｗが放音面を上方に向けて配設される。天井壁１１０ｅには放音穴１１３が形成されている（図２）。電子鍵盤楽器１００の左端部１００ａ（図２、図３）、右端部１００ｂ（図４）において、上ケース１１０の天井壁１１０ｅから複数の垂下部（起立部の一例）が一体に垂下形成され、これら複数の垂下部によって吸音体７０が保持される。これら複数の垂下部は、それらの主な機能とは限らないが、いずれも上ケース１１０の補強の機能を有するものである。
【００３１】
まず、左端部１００ａにおいては、複数の垂下部として垂下部１０、２０、５０、５３が設けられる。互いに前後に離間した垂下部１０、２０は、上ケース１１０とシャーシ１２０とを締結するための締結部（ボス）でもあり、それぞれネジ穴１７、２７が形成された軸部１１、２１を有する。シャーシ１２０の棚板１２０ｅ（図１（ｂ））には、ネジ穴１７、２７に対応する締結用穴が形成され、組み付けの際には不図示のネジがネジ穴１７、２７に螺合される。なお、ネジのネジ穴１７、２７への螺合によって、上ケース１１０がシャーシ１２０に組み付けられた状態においては、垂下部１０、２０の先端面１０ａ、２０ａ（図２）は、シャーシ１２０の底面１２０ｆ（図１（ｂ））に接触している。
【００３２】
垂下部１０、２０の軸部１１、２１は、それぞれ接続リブ１２、２２によって左壁部１１０ａと連接して（繋がって）いる。軸部１１、２１からは、接続リブ１２、２２とは反対の右方にリブ１３、２３が延設形成される。軸部１１から前後にリブ１４、１５が延設形成される。軸部２１からは、前方にリブ２５が延設形成される（図３）。これらの各リブ１２〜１５、２２、２３、２５は対応する軸部１１、２１と一体に形成され、しかも天井壁１１０ｅに繋がっている。リブ２３からは、後方に保持リブ２６が延設形成される。保持リブ２６は天井壁１１０ｅにも繋がっている。
【００３３】
また、天井壁１１０ｅから垂下して、２つの垂下部５０が前後に形成され、各垂下部５０の左右方向内側（右側）に垂下部５３が形成されている。各垂下部５０は軸部５１を有し、軸部５１は接続リブ５２によって左壁部１１０ａと繋がっている。各垂下部５３は軸部５４を有し、軸部５４から右方にリブ５５が延設形成される。これらの各リブ５２、５５は対応する軸部５１、５４と一体に形成され、しかも天井壁１１０ｅに繋がっている。また、軸部５１と軸部５４との間を接続するように天井壁１１０ｅからリブ１１１が突設されている。
【００３４】
上記した各リブは、対応する軸部を補強すると共に天井壁１１０ｅを補強し、特に左壁部１１０ａに繋がっているリブについては左壁部１１０ａの補強機能も果たす。これにより、上ケース１１０の剛性が高まっている。しかも、複数のリブには互いに直交するものが存在するので、補強効果が高い。
【００３５】
吸音体７０は、板状ないし略直方体型に形成され、左右方向を厚み方向として垂下部１０、２０、５０、５３によって保持される。すなわち吸音体７０は、それの弾性変形により各垂下部１０、２０、５０、５３に挟持されて周囲を囲まれる。より詳細には、主として垂下部１０の接続リブ１２及びリブ１４、垂下部２０の軸部２１、接続リブ２２、リブ２３及び保持リブ２６、垂下部５０の軸部５１、並びに垂下部５３の軸部５４に嵌合状態で保持される。従って、ネジ止め等の固定手段を用いることなく、吸音体７０を裏側から挿入することで吸音体７０を実装可能である。軸部５１が左壁部１１０ａから離間した位置にあるので、吸音体７０と左壁部１１０ａとの間に間隙Ｓａが確保される。
【００３６】
装着状態においては、リブ１１１が吸音体７０の上面と当接する受け部となり得る。なお、シャーシ１２０の棚板１２０ｅにも、リブ１１１に相当するリブ（図示せず）が設けられ、上下から吸音体７０が拘束される。
【００３７】
また、接続リブ２２には凹状の係止部２２ａが形成され、配線７１が係止部２２ａに係合し、支持されている。配線７１は吸音体７０と左壁部１１０ａとの間に介在する。この配線７１は、例えばＵＳＢ端子に繋がる線、あるいは効果制御用コントローラに繋がる線であるが、これらに限定されない。これにより、配線７１の引き回しの際に吸音体７０と干渉することがなく、吸音体７０を不用意に変形させるおそれもない。また、吸音体７０と左壁部１１０ａとの間の間隙Ｓａに配線７１が配置されることで、スペースの有効活用にもなっている。
【００３８】
なお、配線支持用の係止部は、凹状でなくてもよく、穴であってもよい。また、配線支持用の係止部として、係止部２２ａに加えて２つの接続リブ５２にも形成してもよく、吸音体７０の前後方向のほぼ全長に亘って配線７１が配設されるようにしてもよい。なお、上ケース１１０の右端部においても、係止部２２ａと同様の配線支持用の係止部をリブに設けてもよい。
【００３９】
図４（ａ）、（ｂ）は、上ケース１１０の右端部の裏側の斜視図、裏面図である。右端部１００ｂにおいても、左端部１００ａと同様に複数の垂下部によって吸音体７０が保持される。配置部品やケース形状が左端部１００ａとは同一でないので、垂下部の形状、数、配置も相違してくるが、基本的な設計思想は左端部１００ａの垂下部と同様である。
【００４０】
まず、右端部１００ｂにおいて、垂下部１０、２０に相当する垂下部３０、４０が天井壁１１０ｅから垂下形成されている。互いに前後に離間した垂下部３０、４０は、上ケース１１０とシャーシ１２０とを締結するための締結部（ボス）でもあり、それぞれネジ穴３７、４７が形成された軸部３１、４１を有する。
【００４１】
垂下部３０には、垂下部１０の接続リブ１２及びリブ１４に相当する接続リブ３２、リブ３４を含む複数のリブが一体に形成される。垂下部４０には、垂下部２０の接続リブ２２、リブ２３、２５に相当する接続リブ４２、リブ４３、４５が一体に形成される。リブ４３からは、垂下部２０の保持リブ２６に相当する保持リブ４６が延設形成される。各リブ３２、３４、４２、４３、４５、４６は天井壁１１０ｅに繋がっている。接続リブ３２、４２は右壁部１１０ｂにも繋がっている。
【００４２】
また、垂下部５０、５３に相当する垂下部６０、６３が設けられる。垂下部６０は、軸部５１、接続リブ５２に相当する軸部６１、接続リブ６２を有する。垂下部６３は、軸部５４、リブ５５に相当する軸部６４、リブ６５を有する。接続リブ６２及びリブ６５は天井壁１１０ｅに繋がっており、接続リブ６２は右壁部１１０ｂにも繋がっている。
【００４３】
また、接続リブ４２に連接して、保持突起４８が天井壁１１０ｅから垂下形成される（図４（ｂ））。この保持突起４８は、設計上許容されるならリブ形状または軸形状としてもよい。なお、図４（ｂ）に仮想線で示したように、左壁部１１０ａと同様に、前後方向における垂下部４０と垂下部６０、６３との間に垂下部６０、６３をもう１つ追加してもよい。
【００４４】
吸音体７０の形状は、左端部１００ａのものと基本的に同様であり、弾性変形により、垂下部３０、４０、６０、６３及び保持突起４８によって挟持保持される。より詳細には、主として垂下部３０の接続リブ３２及びリブ３４、垂下部４０の軸部４１及び保持リブ２６、保持突起４８、垂下部６０の軸部６１、並びに垂下部６３の軸部６４に嵌合状態で保持される。従って、ネジ止め等の固定手段を用いることなく、吸音体７０を裏側から挿入することで吸音体７０を実装可能である。軸部６１が右壁部１１０ｂから離間した位置にあるので、吸音体７０と右壁部１１０ｂとの間に間隙Ｓｂが確保される。
【００４５】
図５は、電子鍵盤楽器１００のスピーカＳＰＬから発する音響信号の周波数特性を示す図である。図５では吸音体７０を実装しない場合の特性曲線Ｌ１と、吸音体７０を実装した場合の特性曲線Ｌ２とを併せて示している。縦軸に音圧レベル（ｄＢ）を示し、横軸に周波数（Ｈｚ）を示す。
【００４６】
音響信号の計測においては、電子鍵盤楽器１００を高さ１ｍの台に載置し、鍵盤部ＫＢの中央の上方約４０ｃｍの高さで、その前方約１５ｃｍの位置にマイクロフォンを設置し、左側のスピーカＳＰＬから発生する演奏音を上記マイクロフォンで集音した。マイクロフォンの位置は概ね演奏者の耳の位置に対応しているので、図５に示す特性は、演奏者によって聞き取られる演奏音の周波数特性に対応している。
【００４７】
特性曲線Ｌ２を特性曲線Ｌ１に対して比較すると、低域（約２０〜７００Ｈｚ付近）までは、音圧レベルが全体的に上昇している。また、中高域（約７００付近〜１４００Ｈｚ）においては、音圧レベルのばらつきが小さくなって、音響特性の暴れが抑制されている。図５では左側のスピーカＳＰＬの実測データを示すが、筐体ＣＳがほぼ左右対称であることから、右側のスピーカＳＰＲにつき実測した場合も同様の特性を示すと推定される。特に、吸音体７０を左壁部１１０ａ、右壁部１１０ｂから間隙Ｓａ、Ｓｂだけ離間させた方が、間隙Ｓａ、Ｓｂを設けない配置に比べて音響特性が優れることが実測によって判明した。ただし、間隙Ｓａ、Ｓｂを設けることは必須でない。
【００４８】
ここで、吸音体７０の上記したような態様の配設により音響特性が向上する理由について若干補足しておく。
【００４９】
まず、中高域における音響特性の暴れについて考察する。仮に吸音体７０を設けないとすると、スピーカＳＰから発せられる音は、硬い壁である壁部１１０で反射してスピーカＳＰの前方に放射され、直接放射される音と重なる。これに対し、吸音体７０を設けた場合は、直接音と吸音体７０で反射した間接音とが重なる。従って、測定点から見た特性としては、吸音体７０を設けない場合の方が暴れやすいことが推測される。
【００５０】
別の言い方をすると、間接音には、吸音体７０の表面で反射するものと、内部で反射するものと、減衰しながら吸音体７０を貫いて壁部１１０で反射し、さらに減衰しながら吸音体７０を透過した音とがあり、これらが混合される。この混合された間接音に直接音も混合されたものが音響特性として現われていると見れば、吸音体７０有りの方が、暴れが小さくなると推測される。
【００５１】
また、一般に、裸のコーン型スピーカは、直接音の他にコーン裏面からも音が発せられるので、前側と後側とでキャンセルされる成分がある。ここで仮にコーン部を残してそれ以外を囲うと、いわゆるスピーカボックスタイプになり、裸のスピーカよりも音量が上がる（音圧レベルが高くなる）ことが知られている。特に低域におけるレベルアップが顕著である。
【００５２】
さらにスピーカボックスの中の側面と後面にパンヤまたはフェルト等の緩衝材を壁に沿って配設すると、間接音（逆相音）を一層減衰させることができるので、スピーカ前面から出る音の音圧が上がることが知られている。特に低域におけるレベルアップが顕著である。
【００５３】
そこで、内壁全体まで覆わなくとも、吸音体７０を筐体左端部ＣＳａと筐体右端部ＣＳｂとに配置することで、逆相音が減衰させられるので、結果として低域での音響特性は吸音体７０有りの方が向上すると考えられる。
【００５４】
さらに、吸音体７０を楽器の側部に配置することで、多少なりとも音響特性におけるＱ値をなまらせることになるので、結果として音圧レベルが持ち上がることになる。すなわち、音響信号の周波数特性における、低音域側の急峻な裾野の広がりを、一般的技術では電気的なフィルタ処理によってなだらかにする（裾野を持ち上げる）ようにしている。しかし本実施の形態では、吸音体７０を楽器の側部に配置することで、電気的処理でなくメカ的処理によって低音域側の裾野を持ち上げることができる。このような理由で低域特性の向上が説明できる。
【００５５】
本実施の形態によれば、吸音体７０が、電子鍵盤楽器１００の左端部１００ａ、右端部１００ｂに配置されたので、音響特性を向上させることができると共に、左右側方からの音漏れも抑制することができる。特に吸音体７０は、筐体ＣＳの左右の側壁（壁部１１０ａ、１１０ｂ）から間隙（Ｓａ、Ｓｂ）を確保した位置に保持されるので、音響特性の暴れを効果的に抑制することができる。
【００５６】
しかも上ケース１１０の天井壁１１０ｅから垂下形成された垂下部（１０、２０、３０、４０等）によって吸音体７０が保持されたので、垂下部が筐体ＣＳの補強と吸音体７０の保持の機能を兼ねることで構成の複雑化を抑制することができる。しかも、吸音体７０はこれら複数の垂下部によって嵌合状態で挟持されて保持されるので、水平方向の位置決めしつつ吸音体７０をネジ止め不要で保持することができる。
【００５７】
また、垂下部１０、２０、３０、４０は、シャーシ１２０と上ケース１１０とを組み付けるための締結機能を有し、筐体組み付けの機能を兼ねる点でも、構成の複雑化を抑制することができる。
【００５８】
また、垂下部１０、２０、３０、４０は一体に形成されたリブを含むので、自身の剛性が高まり、しかも複数のリブには、互いに平行でないもの、すなわち平面視において互いに交差する方向に延設されるもの（例えば、接続リブ１２とリブ１４、接続リブ３２とリブ３４、接続リブ４２と保持リブ４６等）が含まれるので、剛性向上が効果的である。さらに垂下部１０、２０、３０、４０は、天井壁１１０ｅ、あるいは左壁部１１０ａまたは右壁部１１０ｂに繋がっているリブ（１２、２２、３２、４２）を一体に含むので、上ケース１１０の補強効果を高めることができる。
【００５９】
また、一部のリブ（例えば、リブ１２、１４、２２、２３、２６、３２、３４、４６については、吸音体７０の保持機能を果たすので、吸音体７０を大きな面積で安定して保持することができる。
【００６０】
なお、吸音体７０を保持する垂下部は、天井壁１１０ｅから垂下形成されて少なくとも上ケース１１０の補強の機能を有するものであればよい。例えば、締結機能を有さない垂下部５０、５３や垂下部６０、６３のような垂下部によってのみ吸音体７０が保持されるようにしてもよい。
【００６１】
なお、垂下部によって吸音体７０を保持する形態は例示したものに限られない。図６に、吸音体７０の保持の態様の変形例を示す。
【００６２】
例えば、図６（ａ）に示すように、２つの垂下部２１０で吸音体７０を保持することを考える場合、垂下部２１０の軸部形状に対応する凹形状７０ａを吸音体７０に形成し、凹形状７０ａを下部２１０の軸部に係合させる。これにより、吸音体７０を厚み方向にも拘束できる。
【００６３】
あるいは、図６（ｂ）に示すように、単一の垂下部２２０によって吸音体７０を保持できるように構成してもよい。その場合、吸音体７０の内部に、垂下部２２０が挿通嵌合される穴７０ｂを鉛直方向に形成する。垂下部２２０の軸部２２１からは四方にリブ２２１、２２２、２２３、２２４が延設形成され、これら軸部２２１及びリブ２２１〜２２４が穴７０ｂに挿入されることで、吸音体７０の回り止めが果たされながら吸音体７０が保持される。
【００６４】
また、図６（ｃ）に、左右方向に沿う断面図で示すように、上ケース１１０の天井壁１１０ｅから下方に起立して延出（すなわち、垂下）する垂下部１０とシャーシ１２０の底面１２０ｆから上方に起立して延出する立上がり部１２１（起立部の一例）とが当接位置ＦＴＦで当接した状態で、上ケース１１０とシャーシ１２０とが組み付けられる構成とすることもできる。吸音体７０は、複数の垂下部１０に加え、複数の立上がり部１２１に挟持されて保持される構成とすることもできる。また、上ケース１１０の垂下部１０の軸部１１に一体に形成されるリブ１８を設け、保持される吸音体７０にリブ１８が上方から接触するようにしてもよい。あるいは、吸音体７０の上面を天井壁１１０ｅに当接させるように構成してもよい。リブ１８は天井壁１１０ｅに繋がっている。なお、リブ１８は左壁部１１０ａには繋がっていない構成としたが、繋がっている構成としてもよい。リブ１８によって、吸音体７０の上方への移動を規制することができる。あるいは、吸音体７０の上面を天井壁１１０ｅに当接させる構成とした場合は、天井壁１１０ｅによって吸音体７０の上方への移動が規制される。リブ１８及び／又は吸音体７０によって、音響特性の暴れを効果的に抑制することができる。なお、立上がり部１２１は、一体に形成されるリブ１２２を備えるようにしてもよい。リブ１２２は、シャーシ１２０の天井壁１１０ｅ及び／又は左壁部１２３に繋がるように形成することもできる。また、垂下部１０と立上がり部１２１とは、ネジ機構によって互いに結合される。なお、吸音体７０は、垂下部１０と接触することなく複数の立上がり部１２１に挟持される構成としてもよい。シャーシ１２０の右壁部は図示しないが、筐体左端部ＣＳａと同様の構成を、筐体右端部ＣＳｂに関しても適用可能である。
【００６５】
なお、上記例示した上ケース１１０から起立して形成した起立部とその起立部に一体に形成されたリブと同様の構成を、シャーシ１２０から起立して形成する起立部とその起立部に一体に形成されたリブに適用することも可能であり、これとは逆の構成も採択可能である。
【００６６】
なお、起立部は、上ケース１１０またはシャーシ１２０の左右の壁（左壁部１１０ａ、右壁部１１０ｂ、左壁部１２３等）から起立したものであってもよい。なお、上ケース１１０及びシャーシ１２０の少なくとも一方は左右の側壁を有しない構成としてもよい。
【００６７】
なお、スピーカＳＰは、筐体ＣＳの左右方向における少なくとも一方の端部に設けられればよく、当該端部に吸音体７０が配設されることになる。また、ツイータＴｗは必須でないが、設ける場合はスピーカＳＰに対応させて設ければよく、スピーカＳＰが左右片方にのみ配設される構成の場合は、それに対応してツイータＴｗが１つ設けられる。
【００６８】
なお、保持対象となる整音体として吸音体７０を例示したが、保持対象は整音機能を有すればよく、音を吸収する機能を有するものに限定されない。
【符号の説明】
【００６９】
ＫＢ  鍵盤部、  ＣＳ  筐体、  ＣＳａ  左端部、  ＣＳｂ  右端部、  ＳＰＬ、ＳＰＲ  スピーカ、  ＳＰｈ  放音面、  Ｓａ、Ｓｂ  間隙、  １０、２０、３０、４０、５０、５３、６０、６３  垂下部（起立部）、  １３、１４、２３、２５、２６、３４、４３、４５、４６、５５、１２２  リブ、  １２、１８、２２、３２、４２、５２、６２  接続リブ、  ７０  吸音体、  １００  電子鍵盤楽器、  １００ａ  左端部、  １００ｂ  右端部、  １１０ｅ  天井壁、  １１０ａ  左壁部、  １１０ｂ  右壁部、  １１０  上ケース、  １２０  シャーシ、  １２０ｆ  底面（底部）、  １２１  立上がり部（起立部）、  １２３  左壁部
【図１】
2014211618.tif 000003
【図２】
2014211618.tif 000004
【図３】
2014211618.tif 000005
【図４】
2014211618.tif 000006
【図５】
2014211618.tif 000007
【図６】
2014211618.tif 000008